(57)【要約】【課題】ＡＣ／ＤＣコンバータ及び該ＡＣ／ＤＣコンバータの出力を受けるＤＣ／ＤＣコンバータを備え、省エネルギー時にＡＣ／ＤＣコンバータの出力を遮断する電源装置において、省エネルギー時にＤＣ／ＤＣコンバータの出力停止が生じた場合の再起動に要する時間を短縮可能な電源装置を提供する。【解決手段】ＡＣ／ＤＣコンバータ６を介して出力する第１の回路と、ＡＣ／ＤＣコンバータ６からの出力をＤＣ／ＤＣコンバータ８を介して出力する第２の回路と、省エネルギーモードにおいてＡＣ／ＤＣコンバータ６からの出力を遮断するスイッチ素子９と、コンデンサ７と、省エネルギーモードにおいてＤＣ／ＤＣコンバータ８の出力停止を検知したとき、スイッチ素子９を強制的にオンする制御手段とを備え、スイッチ素子９を強制的にオンすることによりコンデンサ７を放電させる放電経路２０が形成される電源装置。【選択図】図１
2019103367.tif 000002
【特許請求の範囲】
【請求項１】
消費電力を低減する省エネルギーモードと、消費電力を低減しない通常モードとを有する装置に電力を供給する電源装置であって、
商用電源から供給される電力をＡＣ／ＤＣコンバータを介して出力する第１の回路と、
前記ＡＣ／ＤＣコンバータからの出力をＤＣ／ＤＣコンバータを介して出力する第２の回路と、
前記ＡＣ／ＤＣコンバータの出力側に直列に配置され、前記装置の省エネルギーモードにおいてオフ状態となり、前記ＡＣ／ＤＣコンバータからの出力を遮断するスイッチ素子と、
前記第１の回路の前記装置の負荷に並列接続されたコンデンサと、
前記省エネルギーモードにおいて前記ＤＣ／ＤＣコンバータの出力停止を検知したとき、前記スイッチ素子を強制的にオンする制御手段と、を備え、
前記スイッチ素子を強制的にオンすることにより前記コンデンサを放電させる放電経路が形成されることを特徴とする電源装置。
【請求項２】
前記ＤＣ／ＤＣコンバータが過電流を検出したとき、前記ＤＣ／ＤＣコンバータの出力が停止される過電流保護機能を備えることを特徴とする請求項１に記載の電源装置。
【請求項３】
前記省エネルギーモードにおける前記ＤＣ／ＤＣコンバータの出力停止を、前記過電流保護機能の動作により判断することを特徴とする請求項２に記載の電源装置。
【請求項４】
前記省エネルギーモードにおける前記ＤＣ／ＤＣコンバータの出力停止を、前記ＡＣ／ＤＣコンバータの前記スイッチ素子の入力側と出力側における出力状態、及び前記ＤＣ／ＤＣコンバータの出力状態から判断することを特徴とする請求項１に記載の電源装置。
【請求項５】
請求項１から４のいずれかに記載の電源装置を備えることを特徴とする画像形成装置。
【発明の詳細な説明】
【技術分野】
【０００１】
本発明は、電源装置、及び該電源装置を備える画像形成装置に関する。
【背景技術】
【０００２】
画像形成装置などの電子機器は、省エネルギーモードを備えるものが知られている。省エネルギーモードは、例えば、印刷等を実行しない待機状態において制御系などの一部の回路を除いて電力の供給を一時停止し、節電を図るものである。
【０００３】
このような電子機器では、商用交流電源から制御系の回路に供給する直流電源を生成する電源回路を備えており、例えば、ＡＣ／ＤＣコンバータでＤＣ高圧電源をつくり、ＡＣ／ＤＣコンバータでつくられたＤＣ高圧電源からＤＣ／ＤＣコンバータでＤＣ低圧電源をつくる、いわゆる１コンバータ方式のものが知られている。
【０００４】
１コンバータ方式の電源の場合、ＤＣ高圧電源のＡＣ／ＤＣコンバータをオフすると、ＤＣ／ＤＣコンバータの入力電圧がなくなり、ＤＣ低圧電源を作成できなくなってしまう。そのため、ＤＣ高圧電源の出力部もしくは、制御基板の入力部などにおいてスイッチ素子を用いてＡＣ／ＤＣコンバータの出力を遮断する方法が知られており、このような電源装置における省エネルギーモードの消費電力をさらに低減する技術が提案されている（例えば、特許文献１参照）。
【０００５】
特許文献１には、上述の電源装置を備える画像形成装置が開示されており、通常の画像形成モードと、消費電力を低減した省電力モードとの２種類の動作モードを有する画像形成装置であって、ＡＣ／ＤＣコンバータを介して商用交流電流を直流に変換して出力する第１の直流出力手段と、前記ＡＣ／ＤＣコンバータによって変換された直流をＤＣ／ＤＣコンバータを介して変圧して出力する第２の直流出力手段とを有する電源ユニットを備え、前記省電力モードにおいては、前記第１の直流出力手段からの出力電流を前記電源ユニットの出力部において遮断し、前記第１の直流出力手段が出力する電流の電圧を前記ＡＣ／ＤＣコンバータの変換効率が最も高くなる電圧に変更する画像形成装置が記載されている。
【発明の概要】
【発明が解決しようとする課題】
【０００６】
しかしながら、特許文献１に記載されたようなＡＣ／ＤＣコンバータ出力を遮断して省エネルギー時の消費電力を低減する回路構成では、省エネルギー時におけるＤＣ／ＤＣコンバータの出力停止が生じた場合、再起動に長時間を要するという課題がある。
【０００７】
例えば、画像形成装置においてＤＣ／ＤＣコンバータの出力より供給されているロジック回路に過剰な電流が流れ、ＤＣ／ＤＣコンバータの出力が過電流保護によりラッチ停止した場合、ＤＣ／ＤＣコンバータのリセットに時間を要することとなる。
これは、省エネルギー時にはＡＣ／ＤＣコンバータのスイッチ素子がオフ状態であり、ＡＣ／ＤＣコンバータの出力は無負荷に近い状態であるため、出力ラインに実装されたコンデンサの電荷の放電に時間を要し、主電源（ＡＣ電圧）のＯＦＦ／ＯＮでのリセットに時間がかかってしまうためである。その結果、画像形成装置の再起動に時間がかかってしまうこととなる。
【０００８】
そこで本発明は、ＡＣ／ＤＣコンバータ及び該ＡＣ／ＤＣコンバータの出力を受けるＤＣ／ＤＣコンバータを備え、省エネルギー時にＡＣ／ＤＣコンバータの出力を遮断する電源装置において、省エネルギー時にＤＣ／ＤＣコンバータの出力停止が生じた場合の再起動に要する時間を短縮可能な電源装置を提供することを目的とする。
【課題を解決するための手段】
【０００９】
かかる目的を達成するため、本発明に係る電源装置は、消費電力を低減する省エネルギーモードと、消費電力を低減しない通常モードとを有する装置に電力を供給する電源装置であって、商用電源から供給される電力をＡＣ／ＤＣコンバータを介して出力する第１の回路と、前記ＡＣ／ＤＣコンバータからの出力をＤＣ／ＤＣコンバータを介して出力する第２の回路と、前記ＡＣ／ＤＣコンバータの出力側に直列に配置され、前記装置の省エネルギーモードにおいてオフ状態となり、前記ＡＣ／ＤＣコンバータからの出力を遮断するスイッチ素子と、前記第１の回路の前記装置の負荷に並列接続されたコンデンサと、前記省エネルギーモードにおいて前記ＤＣ／ＤＣコンバータの出力停止を検知したとき、前記スイッチ素子を強制的にオンする制御手段と、を備え、前記スイッチ素子を強制的にオンすることにより前記コンデンサを放電させる放電経路が形成されることを特徴とする電源装置である。
【発明の効果】
【００１０】
本発明によれば、ＡＣ／ＤＣコンバータ及び該ＡＣ／ＤＣコンバータの出力を受けるＤＣ／ＤＣコンバータを備え、省エネルギー時にＡＣ／ＤＣコンバータの出力を遮断する電源装置において、省エネルギー時にＤＣ／ＤＣコンバータの出力停止が生じた場合の再起動に要する時間を短縮可能な電源装置を提供することができる。
【図面の簡単な説明】
【００１１】
【図１】本実施形態の電源装置の一例を示す図である。
【図２】本実施形態の電源装置の動作を説明する表である。
【図３】従来の電源装置のシーケンスを示す図である。
【図４】本実施形態の電源装置のシーケンスを示す図である。
【図５】本実施形態の電源装置の一例を示す図である。
【発明を実施するための形態】
【００１２】
本実施形態の電源装置は、消費電力を低減する省エネルギーモードと、消費電力を低減しない通常モードとを有する装置に電力を供給する電源装置である。装置としては、例えば、画像形成装置などが挙げられる。
【００１３】
画像形成装置としては、外部電源である商用のＡＣ電源から給電を受けて画像を形成する装置であれば特に限定されず、例えば、電子写真方式の複写機や複合機（ＭＦＰ：Multifunction  Peripheral）などが挙げられる。複合機とは、印刷機能、複写機能、スキャナ機能、及びファクシミリ機能のうち少なくとも２つの機能を有する装置である。また、画像形成装置としては、カラー、モノクロを問わず適用することができる。
【００１４】
本実施形態の画像形成装置は、本発明の電源装置を備え、消費電力を低減する省エネルギーモードと、消費電力を低減しない通常モードとを有する。
前記通常モードは、例えば、画像（原稿）の読み取りや印刷などを行う稼動状態である。省エネルギーモードは、例えば、読み取りや印刷などの動作を行なわない状態（待機状態）である。
【００１５】
以下、本発明に係る電源装置について、図面を参照して説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１６】
図１に、本実施形態の電源装置の一例を示す。
本実施形態の電源装置は、消費電力を低減する省エネルギーモードと、消費電力を低減しない通常モードとを有する装置に電力を供給する電源装置であり、商用電源（以下、「交流ＡＣ電圧」ともいう）１から供給される電力をＡＣ／ＤＣコンバータ６を介して出力する第１の回路と、ＡＣ／ＤＣコンバータ６からの出力をＤＣ／ＤＣコンバータ８を介して出力する第２の回路と、ＡＣ／ＤＣコンバータ６の出力側に直列に配置され、装置の省エネルギーモードにおいてオフ状態となり、ＡＣ／ＤＣコンバータ６からの出力を遮断するスイッチ素子９と、第１の回路の装置の負荷に並列接続されたコンデンサ（電解コンデンサ）７と、省エネルギーモードにおいてＤＣ／ＤＣコンバータ８の出力停止を検知したとき、スイッチ素子９を強制的にオンする制御手段１２（以下、本実施形態の制御部を「１２Ａ」と表す）と、を備える。スイッチ素子９を強制的にオンすることにより電解コンデンサ７を放電させる放電経路２０が形成される。
【００１７】
図中、Ｓ１は電源装置側の構成を示し、Ｓ２は装置（画像形成装置）側の構成を示している。
図中、符号１６は電源装置側からのＡＣ／ＤＣコンバータ出力を表し、符号１８は電源装置側からのＤＣ／ＤＣコンバータ出力を表している。また、符号１７及び１９はシグナルグラウンド（ＧＮＤ）をそれぞれ表している。
【００１８】
ＡＣ／ＤＣコンバータ６は、ダイオードブリッジ２、出力コンデンサ３、スイッチング回路４、及びトランス５で構成され、交流ＡＣ電圧１をダイオードブリッジ２とコンデンサ３で平滑し、スイッチング回路４とトランス５を介して直流電圧を出力する。
【００１９】
ＡＣ／ＤＣコンバータ出力の直流電圧を入力電圧として、ＤＣ／ＤＣコンバータ８を駆動させる。ＤＣ／ＤＣコンバータ８からの出力は、画像形成装置負荷（ロジック回路）１５に供給される。
【００２０】
本実施形態の電源装置は、ＤＣ／ＤＣコンバータ８が過電流保護機能を備えている。
過電流保護機能により、ＤＣ／ＤＣコンバータ８が過電流を検出したとき、ＤＣ／ＤＣコンバータ８の出力が停止される。詳しくは、ＤＣ／ＤＣコンバータ８が過電流を検出したとき、制御手段１２Ａに過電流保護動作信号１０を発し、制御手段１２ＡによりＤＣ／ＤＣコンバータ８の出力が停止される。
【００２１】
本実施形態においては、省エネルギーモードにおけるＤＣ／ＤＣコンバータ８の出力停止を、上述の過電流保護機能の動作により判断する。
【００２２】
ＡＣ／ＤＣコンバータ出力の後段には、出力の安定を図るための電解コンデンサ７と、省エネルギーモードにおいて消費電力を低減させるためのスイッチ素子９が設けられている。ＡＣ／ＤＣコンバータ６からの出力は、画像形成装置負荷（パワー回路）１４に供給される。
【００２３】
制御手段１２は、省エネルギーモードにおいてＤＣ／ＤＣコンバータ８の出力停止を検知したとき、スイッチ素子９を強制的にオンする。スイッチ素子９を強制的にオンすることによりコンデンサ７の電荷を放電させる放電経路２０が形成される。
【００２４】
画像形成装置が通常モードの場合、省エネ信号１３はＬ信号であり、制御部１２Ａからのトリガー信号（以下、「ＴＲＧ信号」と表す）１１はＨ信号となり、スイッチ素子９はオン状態となるため、ＡＣ／ＤＣコンバータ６からの出力（直流電圧）は、画像形成装置負荷（パワー回路）１４に供給される。
【００２５】
通常モードにおいて、画像形成装置負荷(ロジック回路)１５において過剰な電流が流れ、ＤＣ／ＤＣコンバータ８により過電流が検出され、過電流保護機能が動作する場合、過電流保護動作信号１０がＬ信号からＨ信号となる（以下、「Ｌ→Ｈ信号」とも表す）。
制御部１２Ａにおいて過電流保護信号がＬ→Ｈ信号となったことが検出されると、スイッチ素子９はもともとオン状態であることから、電解コンデンサ７の電荷は、画像形成装置負荷(パワー回路)１４の経路で放電される。
【００２６】
一方、画像形成装置が省エネルギーモードの場合、省エネ信号１３はＨ信号であり、制御部１２ＡからのＴＲＧ信号１１はＬ信号となり、スイッチ素子９はオフ状態となる。これにより、ＡＣ／ＤＣコンバータ６からの出力（直流電圧）は画像形成装置負荷（パワー回路）１４に供給されず、ＤＣ／ＤＣコンバータ８の出力のみが画像形成装置負荷(ロジック回路)１５に供給され、消費電力が低減する。
【００２７】
省エネルギーモードにおいて、画像形成装置負荷(ロジック回路)１５において過剰な電流が流れ、ＤＣ／ＤＣコンバータ８が検出され、過電流保護機能が動作する場合、過電流保護動作信号１０がＬ→Ｈ信号となる。
制御部１２Ａにおいて過電流保護信号がＬ→Ｈ信号となったことが検出されると、スイッチ素子９は強制的にオフ状態からオン状態となり、電解コンデンサ７の電荷を放電させる放電経路２０が、画像形成装置負荷(パワー回路)１４の経路に形成される。
電解コンデンサ７の電荷が放電され、画像形成装置または電源装置の異常が解除されれば、交流ＡＣ電圧１のＯＦＦ／ＯＮにより画像形成装置をすぐに再起動することができる。すなわち、従来の構成の電源装置よりも再起動に要する時間が大幅に短縮される。
【００２８】
図２は、本実施形態の電源装置の動作を説明する表であり、画像形成装置の通常モード及び省エネルギーモードにおける省エネ信号１３、過電流保護動作信号１０、ＴＲＧ信号１１、及びスイッチ素子９の動作をまとめたものである。
【００２９】
図２の「条件１」は、画像形成装置が通常モードにおいて、過電流保護機能が動作していない状態である。
この場合、省エネ信号１３はＬ信号であり、過電流保護動作信号１０はＬ信号である。省エネ信号１３がＬ信号であることから、制御部１２からのＴＲＧ信号１１はＨ信号であり、スイッチ素子９はオン状態であり、画像形成装置にＡＣ／ＤＣコンバータ出力１６の直流電圧が供給される。
【００３０】
図２の「条件２」は、画像形成装置が通常モードにおいて、過電流保護機能が動作した状態である。
例えば、画像形成装置負荷(ロジック回路)１５において過剰な電流が流れ、過電流保護機能動作した場合、過電流保護動作信号１０がＬ→Ｈ信号となるが、スイッチ素子９はもともとオン状態であるため、電解コンデンサ７の電荷はそのまま画像形成装置負荷(パワー回路)１４の経路で放電される。
【００３１】
図２の「条件３」は、画像形成装置が省エネルギーモードにおいて、過電流保護機能が動作していない状態である。
この場合、省エネ信号１３はＨ信号である。過電流保護機能が動作していないため、過電流保護動作信号１０はＬ信号である。よって、スイッチ素子９はオフ状態となり、ＡＣ／ＤＣコンバータ６からの出力（直流電圧）は、画像形成装置負荷（パワー回路）１４に供給されないため、消費電力は低減される。
【００３２】
図２の「条件４」は、画像形成装置が省エネルギーモードにおいて、過電流保護機能が動作した状態である。
例えば、画像形成装置負荷(ロジック回路)１５において過剰な電流が流れ、過電流保護機能動作した場合、過電流保護動作信号１０がＬ→Ｈ信号となり、スイッチ素子９は強制的にオン状態となる。これにより、電解コンデンサ７の電荷を放電させる放電経路２０が、画像形成装置負荷(パワー回路)１４の経路に形成される。
電解コンデンサ７の電荷が放電され、画像形成装置または電源装置の異常が解除されれば、交流ＡＣ電圧１のＯＦＦ／ＯＮにより、画像形成装置がすぐに再起動できる。
【００３３】
図３及び図４に基づき、電源装置のシーケンスを説明する。
図３は従来の電源装置のシーケンスであり、図４は本実施形態の電源装置のシーケンスである。
従来の電源装置とは、例えば、特許文献１に記載の１コンバータ方式の電源であって、省エネルギーモードにおいてＤＣ／ＤＣコンバータの出力停止が生じた場合、再起動に長時間を要する装置である。
図３の従来の電源装置は、省エネルギーモードにおいてＤＣ／ＤＣコンバータの出力停止を検知したとき、制御手段によってスイッチ素子が強制的にオンされず、電解コンデンサの放電経路が形成されない以外は、本実施形態の電源装置の構成と同様である。
【００３４】
図３の従来の電源装置のシーケンスを説明する。
省エネルギーモードにおいて、過電流保護動作信号はＬ信号で、省エネ信号はＨ信号の場合、制御手段の制御により、ＴＲＧ信号はＬ信号となり、スイッチ素子はオフ状態となる。
ＤＣ／ＤＣコンバータが過電流を検出し、過電流保護機能が動作して過電流保護動作信号がＬ→Ｈ信号になった場合（Ａ点）、ＤＣ／ＤＣコンバータの出力は停止するが、ＴＲＧ信号はＬ信号であり、スイッチ素子はオフ状態のままである。
このため、ＡＣ／ＤＣコンバータ出力の後段で、スイッチ素子の入力側に接続された電解コンデンサは、放電経路がなく、電荷の放電に時間がかかる。
【００３５】
一方、ＤＣ／ＤＣコンバータはＡＣ／ＤＣコンバータ出力の直流電圧を入力電圧として駆動させているため、出力停止の状態（ラッチ）を維持し、過電流保護動作信号はＨ信号を維持する。
電解コンデンサの放電時間が長くなることにより、ＤＣ／ＤＣコンバータがリセットされない状態が続くため、交流ＡＣ電圧を再投入（Ｂ点）しても、ＤＣ／ＤＣコンバータの出力停止の状態（ラッチ）が長く続くこととなる。すなわち、再起動に要する時間が非常に長くなる。
【００３６】
図４の本実施形態の電源装置（図１）のシーケンスを説明する。
省エネルギーモードにおいて、過電流保護動作信号１０はＬ信号で、省エネ信号１３はＨ信号の場合、制御手段１２の制御により、ＴＲＧ信号１１はＬ信号となり、スイッチ素子９はオフ状態となる。
ＤＣ／ＤＣコンバータ８が過電流を検出し、過電流保護機能が動作して過電流保護動作信号１０がＬ→Ｈ信号になった場合（Ｃ点）、ＤＣ／ＤＣコンバータ８の出力は停止するが、制御手段１２が過電流保護動作信号１０のＨ信号を検出し、ＴＲＧ信号１１をＬ→Ｈ信号とすることで強制的にスイッチ素子９をオン状態とする。
【００３７】
スイッチ素子９がオン状態となり、これにより、電解コンデンサ７の電荷を放電させる放電経路２０が、画像形成装置負荷(パワー回路)１４の経路に形成される。
電解コンデンサ７の電荷が放電され、
過電流保護動作信号１０及び省エネ信号１３がＬ信号レベルまで変化し、ＤＣ／ＤＣコンバータ８がリセット（ラッチが解除）され、スイッチ素子９もオフ状態となる。
すなわち、画像形成装置側より出力される省エネ信号１３に関わらず、過電流保護動作信号１０がＨ信号、ＴＲＧ信号１１がＨ信号、スイッチ素子９がオン状態となるため、画像形成装置負荷(パワー回路)１４が放電経路として活用される。
【００３８】
過電流保護動作信号１０はＬ信号であり、ＤＣ／ＤＣコンバータ８の出力停止（ラッチ）は解除されていることから、画像形成装置又は電源装置の異常が解除されれば、交流ＡＣ電圧を再投入（Ｄ点）することにより、ＡＣ／ＤＣコンバータ６及びＤＣ／ＤＣコンバータ８が出力し、画像形成装置をすぐに再起動することができる。
【００３９】
図５に第２の実施形態の電源装置の例を示す。
図５に示す電源装置は、過電流保護機能を備えていない例である。
本実施形態の電源装置は、省エネルギーモードにおけるＤＣ／ＤＣコンバータの出力停止を、ＡＣ／ＤＣコンバータ６のスイッチ素子９の入力側と出力側における出力状態、及びＤＣ／ＤＣコンバータ８の出力状態から判断する。
【００４０】
図中、Ｓ１は電源装置側の構成を示し、Ｓ２は装置（画像形成装置）側の構成を示している。
また、図中、符号１６は電源装置側からのＡＣ／ＤＣコンバータ出力を表し、符号１８は電源装置側からのＤＣ／ＤＣコンバータ出力を表している。また、符号１７及び１９はシグナルグラウンド（ＧＮＤ）をそれぞれ表している。
【００４１】
本実施形態の電源装置は、消費電力を低減する省エネルギーモードと、消費電力を低減しない通常モードとを有する装置に電力を供給する電源装置であり、商用電源（交流ＡＣ電圧）１から供給される電力をＡＣ／ＤＣコンバータ６を介して出力する第１の回路と、ＡＣ／ＤＣコンバータ６からの出力をＤＣ／ＤＣコンバータ８を介して出力する第２の回路と、ＡＣ／ＤＣコンバータ６の出力側に直列に配置され、装置の省エネルギーモードにおいてオフ状態となり、ＡＣ／ＤＣコンバータ６からの出力を遮断するスイッチ素子９と、第１の回路の装置の負荷に並列接続された電解コンデンサ７と、省エネルギーモードにおいてＤＣ／ＤＣコンバータ８の出力停止を検知したとき、スイッチ素子９を強制的にオンする制御手段１２Ｂと、を備える。スイッチ素子９を強制的にオンすることにより電解コンデンサ７を放電させる放電経路２０が形成される。
【００４２】
ＡＣ／ＤＣコンバータ６は、ダイオードブリッジ２、出力コンデンサ３、スイッチング回路４、及びトランス５で構成され、交流ＡＣ電圧１をダイオードブリッジ２とコンデンサ３で平滑し、スイッチング回路４とトランス５を介して直流電圧を出力する。
【００４３】
ＡＣ／ＤＣコンバータ出力の直流電圧を入力電圧として、ＤＣ／ＤＣコンバータ８を駆動させる。ＤＣ／ＤＣコンバータ８からの出力は、画像形成装置負荷（ロジック回路）１５に供給される。
【００４４】
ＡＣ／ＤＣコンバータ出力の後段には、出力の安定を図るための電解コンデンサ７と、省エネルギーモードにおいて消費電力を低減させるためのスイッチ素子９が設けられている。ＡＣ／ＤＣコンバータ６からの出力は、画像形成装置負荷（パワー回路）１４に供給される。
【００４５】
ＡＣ／ＤＣコンバータ６のスイッチ素子９の入力側と出力側における出力状態、及びＤＣ／ＤＣコンバータ８の出力状態、並びに省エネ信号１３が制御部１２Ｂに伝達される。
制御手段１２Ｂは、省エネルギーモードにおいてＤＣ／ＤＣコンバータ８の出力停止を検知したとき、スイッチ素子９を強制的にオンする。スイッチ素子９を強制的にオンすることによりコンデンサ７の電荷を放電させる放電経路２０が形成される。
【００４６】
画像形成装置が通常モードの場合、省エネ信号１３はＬ信号であり、制御部１２ＢからのＴＲＧ信号１１はＨ信号となり、スイッチ素子９はオン状態となるため、ＡＣ／ＤＣコンバータ６からの出力（直流電圧）は、画像形成装置負荷（パワー回路）１４に供給される。
【００４７】
通常モードにおいて、ＤＣ／ＤＣコンバータ８の出力停止が制御部１２Ｂにより検出された場合、スイッチ素子９はもともとオン状態であることから、電解コンデンサ７の電荷は、画像形成装置負荷(パワー回路)１４の経路で放電される。
【００４８】
一方、画像形成装置が省エネルギーモードの場合、省エネ信号１３はＨ信号であり、制御部１２ＢからのＴＲＧ信号１１はＬ信号となり、スイッチ素子９はオフ状態となる。これにより、ＡＣ／ＤＣコンバータ６からの出力（直流電圧）は画像形成装置負荷（パワー回路）１４に供給されず、ＤＣ／ＤＣコンバータ８の出力のみが画像形成装置負荷(ロジック回路)１５に供給され、消費電力が低減する。
【００４９】
省エネルギーモードにおいて、ＡＣ／ＤＣコンバータ６のスイッチ素子９の入力側と出力側における出力状態、及びＤＣ／ＤＣコンバータ８の出力状態からＤＣ／ＤＣコンバータ８の出力停止が制御部１２Ｂにより検出された場合、制御部１２ＢからのＴＲＧ信号１１をＬ→Ｈ信号とすることでスイッチ素子９は強制的にオフ状態からオン状態となり、電解コンデンサ７の電荷を放電させる放電経路２０が、画像形成装置負荷(パワー回路)１４の経路に形成される。
電解コンデンサ７の電荷が放電され、画像形成装置または電源装置の異常が解除されれば、交流ＡＣ電圧１のＯＦＦ／ＯＮにより、画像形成装置をすぐに再起動することができる。すなわち、従来の構成の電源装置よりも再起動に要する時間が大幅に短縮される。
【符号の説明】
【００５０】
１        交流ＡＣ電圧
２        ダイオードブリッジ
３        出力コンデンサ
４        スイッチング回路
５        トランス
６        ＡＣ／ＤＣコンバータ
７        電解コンデンサ
８        ＤＣ／ＤＣコンバータ
９        スイッチ素子（ＳＷ素子）
１０        過電流保護動作信号
１１        トリガー信号（ＴＲＧ信号）
１２        制御手段（制御部）
１３        省エネ信号
１４        画像形成装置負荷（パワー回路）
１５        画像形成装置負荷（ロジック回路）
１６        ＡＣ／ＤＣコンバータ出力
１７        シグナルグラウンド（ＧＮＤ）
１８        ＤＣ／ＤＣコンバータ出力
１９        シグナルグラウンド（ＧＮＤ）
２０        放電経路
【先行技術文献】
【特許文献】
【００５１】
【特許文献１】特開２００３−２６６８７８号公報
【図１】
2019103367.tif 000003
【図２】
2019103367.tif 000004
【図３】
2019103367.tif 000005
【図４】
2019103367.tif 000006
【図５】
2019103367.tif 000007